(57)【要約】【課題】座の下面部に前後スライド可能に配置されたフレーム材に背もたれを取付けている椅子において、背もたれの前後位置調節作業の迅速化やフレーム材のコストダウンなどを図る。【解決手段】座の下面に受け板７が固定されており、受け板７の下面に左右２本のガイド筒１２が平行な姿勢で固定されている。左右のガイド筒１２には、フレーム材１１の前後長手部１１ａがスライド自在に嵌まっており、前後長手部１１ａの後端に形成した支柱部に背もたれが取付けられている。ガイド筒１２には、前後長手部１１ａを下方に露出させる切欠き穴１５が空いており、左右の前後長手部１１ａは、切欠き穴１５を介して１つのクランプ体１６で押さえられている。クランプ体１６は、位置決め突起２０と位置決め穴２１とからなる姿勢保持手段により、ハンドル１７と一緒に連れ回転することが防止されている。【選択図】図４
2019000177.tif 000002
【特許請求の範囲】
【請求項１】
脚装置で支持された座と、左右一対のフレーム材を介して前記座の下面部に固定された背もたれとを備えており、前記フレーム材は、前記座の下面部に配置された前後長手部と、前記前後長手部の後端に一体に設けた支柱部とを有しており、前記支柱部に前記背もたれが取付けられている構成であって、
前記左右フレーム材の前後長手部を、前記座の下面部に固定されたガイド筒に前後動自在に挿通することにより、前記背もたれの前後位置を調節可能になっており、かつ、前記左右の前後長手部を下方から同時に押さえ保持するクランプ体を備えている、
椅子。
【請求項２】
前記クランプ体は左右横長の形態であって、左右端部が、前記フレーム材の前後長手部を押さえる押圧部になっており、前記クランプ体の左右中間部に、回転式ハンドルに設けたねじ軸が下方から挿通されている、
請求項１に記載した椅子。
【請求項３】
前記左右のガイド筒には、前記フレーム材の前後長手部を下方に露出させる切欠き穴が形成されており、前記切欠き穴から露出した前後長手部に前記クランプ体が下方から当接している、
請求項１又は２に記載した椅子。
【請求項４】
前記座の下面に受け板が固定されていて、前記受け板に、前記ガイド筒が固定されていると共に、前記ハンドルのねじ軸が螺合するナットを設けており、前記ハンドルは、ある程度の範囲でしかねじ戻しできないように設定されており、前記受け板又はガイド筒若しくはクランプ体に、前記ハンドルをねじ戻しできる範囲内でクランプ体を回転不能に保持する姿勢保持手段が形成されている、
請求項３に記載した椅子。
【発明の詳細な説明】
【技術分野】
【０００１】
本願発明は、背もたれの前後位置を調節できる椅子に関するものである。
【背景技術】
【０００２】
例えば児童・生徒用の椅子において、身体の大きさに合わせて（或いは成長に合わせて）背もたれの前後位置を調節できるようにしたものがあり、その例が特許文献１に開示されている。すなわち、特許文献１の椅子は、座が脚支柱で回転自在に支持された方式であり、背もたれは、左右一対の連結支持杆（フレーム材）によって座の下面部に固定されている。
【０００３】
連結支持杆は、座の下面部に位置した前後長手の水平部と、その後端から立ち上がった支柱部とを有しており、支柱部に背もたれが取付けられている。他方、左右連結支持杆の水平部は、それぞれ座の下面に下向き突設した連結盤に前後動可能に挿通されており、左右の連結盤に、ハンドル付きのねじ軸をねじ込んで、ねじ軸で連結支持杆の水平部を押さえることにより、連結支持杆の水平部を前後動不能に保持している。ハンドルを緩めると連結支持杆の水平部が前後スライド自在になり、背もたれの前後位置を変更できる。
【先行技術文献】
【特許文献】
【０００４】
【特許文献１】実開平４−９１４２号のＣＤ−ＲＯＭ
【発明の概要】
【発明が解決しようとする課題】
【０００５】
特許文献１のように左右のフレーム材に背もたれを取り付けると、簡単な構造で背もたれを安定的に支持できるが、特許文献１では、左右の連結盤にそれぞれハンドルを設けているため、背もたれの前後位置の調節作業に手間がかかるという問題がある。また、片方のハンドルを締め忘れることも有り得るため、安全性についての懸念もある。
【０００６】
また、ハンドルに設けたねじ軸の先端でフレーム材の水平部を押圧するものであるため、フレーム材は棒材でないと強度を確保し難く、このため、軽量のパイプ材を使用することが困難で、それだけコストが嵩むと共に軽量化し難いという問題もあった。
【０００７】
本願発明は、このような現状を改善すべく成されたものである。
【課題を解決するための手段】
【０００８】
本願発明の椅子は、脚装置で支持された座と、左右一対のフレーム材を介して前記座の下面部に固定された背もたれとを備えており、前記フレーム材は、前記座の下面部に配置された前後長手部と、前記前後長手部の後端に一体に設けた支柱部とを有しており、前記支柱部に前記背もたれが取付けられている、という基本構成である。
【０００９】
そして、請求項１の発明では、上記基本構成において、前記左右フレーム材の前後長手部を、前記座の下面部に固定されたガイド筒に前後動自在に挿通することにより、前記背もたれの前後位置を調節可能になっており、かつ、前記左右の前後長手部を下方から同時に押さえ保持するクランプ体を備えている。
【００１０】
請求項２の発明は、請求項１において、前記クランプ体は左右横長の形態であって、左右端部が、前記フレーム材の前後長手部を押さえる押圧部になっており、前記クランプ体の左右中間部に、回転式ハンドルに設けたねじ軸が下方から挿通されている。
【００１１】
請求項３の発明は、請求項１又は２において、前記左右のガイド筒には、前記フレーム材の前後長手部を下方に露出させる切欠き穴が形成されており、前記切欠き穴から露出した前後長手部に前記クランプ体が下方から当接している。
【００１２】
請求項４の発明は、請求項３において、前記座の下面に受け板が固定されていて、前記受け板に、前記ガイド筒が固定されていると共に、前記ハンドルのねじ軸が螺合するナットを設けており、前記ハンドルは、ある程度の範囲でしかねじ戻しできないように設定されており、前記受け板又はガイド筒若しくはクランプ体に、前記ハンドルをねじ戻しできる範囲内でクランプ体を回転不能に保持する姿勢保持手段が形成されている。
【発明の効果】
【００１３】
本願発明では、左右フレーム材の前後長手部を１つのクランプ体で押さえるものであるため、背もたれの前後位置の調節を素早く行うことができると共に、固定忘れといったことはなくて、作業の確実性も優れている。
【００１４】
また、クランプ体の前後幅は任意に設定できるため、前後長手部がパイプ製であっても、単位面積当たりの押圧力を低くして変形しない状態で強く押圧することができるため、フレーム材をバイプ製とすることも容易であり、その結果、コストダウンや軽量化に貢献できる。
【００１５】
クランプ体の操作方式としては、例えば、レバーの回動によってカム体やクサビ体を操作することにより、フレーム材の前後長手部を受け部材に押圧したり押圧解除したりするといったことも可能であるが、請求項２のように、ねじ軸付きの回転式ハンドルによってクランプする方式を採用すると、磨耗を考慮することなくクランプ体でフレーム材の前後長手部をしっかりと押さえ固定できるため、信頼性に優れている。
【００１６】
請求項３の構成を採用すると、フレーム材の前後長手部は、切欠き穴の箇所においてガイド筒に押圧されると共に、切欠き穴を挟んだ前後両側においてもガイド筒に押圧されるため、フレーム材の前後長手部を前後に広い範囲でガイド筒に押さえ固定することができる。このため、高い押さえ強度を確保できる。
【００１７】
請求項３のようにガイド筒に切欠き穴を形成した場合、クランプ体が切欠き穴から外れてしまうと、ハンドルをねじ込んでもフレーム材の前後長手部を押さえることができず、固定不良になってしまう。この点、請求項４のように姿勢保持手段を設けると、ハンドルを緩めてもクランプ体は切欠き穴に嵌まる姿勢に保持されるため、固定不良を防止できる。
【００１８】
本願発明では、前後長手部を、後ろに向けて高さが高くなる傾斜姿勢にすることができる。このように構成すると、背もたれは、後ろに移動するほど座面からの高さが高くなるため、使用者の身長に合わせて背もたれの高さを自動調節することができる。
【図面の簡単な説明】
【００１９】
【図１】第１実施形態に係る椅子の全体斜視図である。
【図２】第１実施形態を示す図で、（Ａ）は正面図、（Ｂ）は側面図である。
【図３】第１実施形態の底面図である。
【図４】第１実施形態を示す図で、（Ａ）は要部分離斜視図、（Ｂ）は裏返した状態での部分斜視図である。
【図５】図３の V-V視断面図である。
【図６】第２実施形態の断面図である。
【図７】（Ａ）は第３実施形態の要部底面図、（Ｂ）は第４実施形態の要部底面図である。
【発明を実施するための形態】
【００２０】
(1).第１実施形態
次に、本願発明の実施形態を図面に基づいて説明する。まず、図１〜５に示す第１実施形態を説明する。
【００２１】
図１のとおり、椅子は、脚装置１と座２と背もたれ３とを備えている。脚装置１は、ガスシリンダよりなる脚支柱４とこれを支える枝足の群とを備えており、各枝足の先端にはキャスタを設けている。従って、本実施形態の椅子は、レバーで脚支柱のロックを解除することによって座２の高さを調節できる回転椅子である。また、本実施形態の椅子は、児童・生徒が学習用机とセットで使用するものであり、脚装置１には足載せ台５を取り付けている。
【００２２】
図２，３のとおり、脚支柱４の上端には、角形枠状のブラケット６を介して底面視角形の受け板７が固定されており、受け板７の上面に座２が固定されている。従って、受け板７は座２の下面部を構成している。なお、ブラケット６には、脚支柱４の上端部が嵌着するスリーブが溶接によって固定されている。脚支柱４は、平面視で座２のほぼ中央部に配置されている。
【００２３】
図５に明示するように、座２は、木製等の座板８の上面にクッション材９を張って表皮材で覆った構造である一方、受け板７は、その左右側部が座板８に重なる重合部７ａになっていて、左右重合部７ａの間の部分は、座板８との間にある程度の間隔（空間）が空く離反部７ｂになっている。すなわち、受け板７は正面視で下向き凸形に形成されている。図５に示すように、重合部７ａが複数本のビス１０によって座板８に固定されている。
【００２４】
図２のとおり、背もたれ３は左右のフレーム材１１を介して受け板７に固定されており、フレーム材１１は、座２の下方に位置した水平状の前後長手部１１ａと、前後長手部１１ａの後端から立ち上がった支柱部１１ｂとを有しており、例えば図３のとおり、前後長手部１１ａは、受け板７に溶接で固定されたガイド筒１２に、前後スライド可能に嵌まっている。フレーム材１１及びガイド筒１２は、円形鋼管等の丸パイプで製造されている。敢えて述べるまでもないが、左右の前後長手部１１ａ及びガイド筒１２は平行に並んでいる。
【００２５】
左右の支柱部１１ｂの上端は一体に繋がっており、一体に繋がった部分は円弧状の形態になっている。図示は省略するが、背もたれ３は、背板にクッション材を張って表皮材で覆った構造であり、支柱部１１ｂは背板にビス等で固定されている。支柱部１１ｂの下部は側面視で後ろ向きに突出するように湾曲している。これは、背もたれ３を座２の上まで移動できるようにするためである。また、左右の前後長手部１１ａの後端部は、左右横長の補強ステー１４で連結されている。
【００２６】
図３のとおり、ガイド筒１２は、受け板７のうち脚支柱４よりも後ろの概ね後半部に固定されており、フレーム材１１の前後長手部１１ａはガイド筒１２の手前に露出している。前後長手部１１ａの前端には、抜け止めの一例として割りピン１３を挿通している。図４，５のとおり、ガイド筒１２は、受け板７のうち離反部７ｂと重合部７ａとの連接部に溶接されている。
【００２７】
左右ガイド筒１２の前後中間部には、フレーム材１１の前後長手部１１ａを部分的に露出させる矩形の切欠き穴１５が形成されており、この切欠き穴１５の箇所においてフレーム材１１の前後長手部１１ａをクランプ体１６の左右端部で下方から押さえることにより、フレーム材１１を前後動不能に固定している。従って、クランプ体１６の左右端部は、前後長手部１１ａを押さえる押圧部になっている。
【００２８】
クランプ体１６は樹脂製（ダイキャスト品でもよい）で左右横長の形態であり、左右中間部に、円形のハンドル１７に設けたねじ軸１８が挿通しており、ねじ軸１８は、受け板７における離反部７ｂの上面に溶接で固定されたナット１９に螺合している。クランプ体１６には、ガイド筒１２の内側面に当接又は近接する左右の上向き突部１６ａを設けており、上向き突部１６ａの上端に位置決めピン２０を突設している一方、受け板７の離反部７ｂには、位置決めピン２０が嵌まる位置決め穴２１を空けている。位置決めピン２０と位置決め穴２１とにより、姿勢保持手段が構成されている。
【００２９】
図５に示すように、ハンドル１７におけるねじ軸１８の上端には、ねじ軸１８がナット１９から抜け出るのを阻止するスナップリング２２を設けている。スナップリング２２は、ハンドル１７のねじ戻し範囲を規定するストローク規制手段の一例であり、ねじ軸１８の移動ストロークが、位置決め穴２１と位置決めピン２０との嵌合ストロークよりも小さくなるように設定されている。
【００３０】
従って、ハンドル１７を限度一杯にねじ戻しても、位置決めピン２０が位置決め穴２１に嵌まっているため、クランプ体１６がハンドル１７と一緒に連れ回転することはない。その結果、ハンドル１７を緩めた状態で、クランプ体１６の左右端部は常に切欠き穴１５と重なる姿勢になっており、ハンドル１７のねじ込みによるフレーム材１１の押さえ固定を確実化できる。
【００３１】
つまり、ハンドル１７のねじ戻しによってクランプ体１６が連れ回転し、ハンドル１７をねじ込んだ状態でクランプ体１６が切欠き穴１５から前後長手部１１ａに当たらずに、クランプ体１６がガイド筒１２に当たったままになって固定不良になる事態を防止できる。なお、ハンドル１７を一杯にねじ込んでも、クランプ体１６における上向き突部１６ａの上端が受け板７に突っ張ることはない（そうでないとクランプできない。）。左右の上向き突部１６ａを一体に繋げて、１つの突部とすることも可能である。
【００３２】
クランプ体１６の連れ回転を阻止する姿勢保持手段としては、例えば、切欠き穴１５の前後両縁に上向きの位置決め片を設けて、前後の位置決め片の間にクランプ体１６の左右端部を位置させると云ったことも可能である。この場合は、クランプ体１６には姿勢保持手段を形成する必要はない。
【００３３】
フレーム材１１の前後長手部１１ａは、クランプ体１６によってある程度の前後長さで押圧されるため、前後長手部１１ａがパイプ製であっても、単位面積当たりの押圧力を強度の限度以下に設定できて、クランプ体１６の押圧によって変形することはない。従って、固定機能を損なうことなくフレーム材１１にパイプを使用できて、コストダウンや軽量化を図ることができる。
【００３４】
本実施形態のように、ガイド筒１２の前後中間部に切欠き穴１５を形成すると、クランプ体１６の押さえ力をガイド筒１２の全長に対して略均等に作用させることができるため、高い固定強度を確保できる利点がある。
【００３５】
(2).他の実施形態
次に、図６，７に示す他の実施形態を説明する。図６に示す第２実施形態は姿勢保持手段の別例であり、この実施形態では、クランプ体１６の姿勢保持手段（連れ回り防止手段）として、クランプ体１６の左右両端に、ガイド筒１２の外側面に当接又は近接するサイドストッパー２３を上向きに突設している。
【００３６】
サイドストッパー２３は上向き突部１６ａよりも上に突出しており、ハンドル１７の回転可能範囲内でガイド筒１２の外側面に当接又は近接している。従って、ハンドル１７を緩めるときにクランプ体１６が連れ回転することを防止できる。ハンドル１７の回転可能範囲で、上向き突部１６ａとサイドストッパー２３とでガイド筒１２を内外両側から挟んだ状態を保持するように構成すると、一層好適である。また、サイドストッパー２３の前後長さをクランプ体１６の前後幅より大きくすると、クランプ体１６の姿勢安定性は一層高くなる。
【００３７】
図７では、クランプ体１６とガイド筒１２との関係の別例を示している。このうち図７（Ａ）に示す第３実施形態では、ガイド筒１２を前後２つのパーツに分離して、クランプ体１６を前後のガイド筒１２の間の部位に配置している。この実施形態でも、フレーム材１１の前後長手部１１ａをクランプ体１６によって安定的に押さえ固定することができる。
【００３８】
図７（Ｂ）に示す第４実施形態では、ガイド筒１２はクランプ体１６の後ろ側の範囲で筒体に形成して、クランプ体１６よりも手前側の範囲では下方に切り開いて樋状に形成している。この実施形態でも、前後長手部１１ａは、クランプ体１６の前後両側の範囲でガイド筒１２に対して押さえられるため、第１実施形態と同じ固定強度を確保できる。
【００３９】
着座した人が背もたれ３にもたれ掛かると、フレーム材１１の前後長手部１１ａには、その後部を下方に押すモーメントが作用するが、このモーメントはガイド筒１２の後端で支持される。従って、第４実施形態のようにクランプ体１６の手前を切り開いても、背もたれ３による体圧の支持強度が低下することはない。
【００４０】
以上、本願発明の実施形態を幾つか説明したが、本願発明は、他にも様々に具体化できる。例えば、クランプ体のうちフレーム材の前後長手部を押さえる面を、前後長手部の外径と同径の曲率半径の円弧面に形成することも可能である。この場合は、クランプ体が前後長手部に面接触するため、前後長手部に作用する応力を軽減してフレーム材を薄肉化できる。ガイド筒を座板の下面に固定することも可能である。
【００４１】
クランプ体は、底面視でＨ形に形成することも可能である。フレーム材は必ずしも円形である必要はなく、六角等の多角形や楕円形などでもよい。更に、本願発明は、フレーム材に棒材を使用することを排除するものではない。
【産業上の利用可能性】
【００４２】
本願発明は、椅子に具体化できる。従って、産業上利用できる。
【符号の説明】
【００４３】
１  脚装置
２  座
３  背もたれ
４  脚支柱
７  座の下面部を構成する受け板
７ａ  重合部
７ｂ  離反部
８  座板
１１  フレーム材
１１ａ  前後長手部
１１ｂ  支柱部
１２  ガイド筒
１５  切欠き穴
１６  クランプ体
１６ａ  上向き突部
１７  ハンドル
１８  ねじ軸
１９  ナット
２０  姿勢保持手段を構成する位置決めピン
２１  姿勢保持手段を構成する位置決め穴
【図１】
2019000177.tif 000003
【図２】
2019000177.tif 000004
【図３】
2019000177.tif 000005
【図４】
2019000177.tif 000006
【図５】
2019000177.tif 000007
【図６】
2019000177.tif 000008
【図７】
2019000177.tif 000009